(57)【要約】      （修正有）【課題】光学素子基板への配置において、容易な位置合わせが可能である光レセプタクルを提供する。【解決手段】光レセプタクル１は、発光素子または受光素子を有する光電変換装置と、光伝送体の端面とを光学的に結合するための光レセプタクルであって、光レセプタクルの本体１０は、第１面１１、第２面１２、第３面、および反射面１３１を有し、第１面は、第１光学領域１１１と、光電変換装置に対する光レセプタクルの配置位置を決めるマーク領域１１２と、を含み、第２面は、第１面に対向し、マーク領域が視認可能な第２光学領域を含み、第３面は、第３光学領域を含み、反射面は、入射した光を反射させる反射領域を含む。【選択図】図１
2019060979.tif 000002
【特許請求の範囲】
【請求項１】
発光素子または受光素子を有する光電変換装置と、光伝送体の端面とを光学的に結合するための光レセプタクルであって、
前記光レセプタクルの本体は、第１面、第２面、第３面、および反射面を有し、
前記第１面は、
第１光学領域と、
前記光電変換装置に対する光レセプタクルの配置位置を決めるマーク領域と、を含み、
前記第２面は、
前記第１面に対向し、前記マーク領域が視認可能な第２光学領域を含み、
前記第３面は、
第３光学領域を含み、
前記反射面は、
入射した光を反射させる反射領域を含み；
前記光電変換装置が前記発光素子を有する場合、
前記第１面の前記第１光学領域は、前記発光素子から出射された送信光を、前記光レセプタクルの本体の内部に入射させる領域であり、
前記反射面の前記反射領域は、前記第１面で入射した前記送信光を、前記第３面に向けて反射させる領域であり、
前記第３面の前記第３光学領域は、前記反射面で反射して、前記光レセプタクルの本体の内部を通った前記送信光を、前記光伝送体に向けて出射させる領域であり；
前記光電変換装置が前記受光素子を有する場合、
前記第３面の前記第３光学領域は、前記光伝送体から出射された前記受信光を、前記光レセプタクルの本体の内部に入射させる領域であり、
前記反射面の前記反射領域は、前記第３面で入射した前記受信光を、前記第１面に向けて反射させる領域であり、
前記第１面の前記第１光学領域は、前記反射面で反射して、前記光レセプタクルの本体の内部を通った受信光を、前記受光素子に向けて出射させる領域である、
ことを特徴とする光レセプタクル。
【請求項２】
前記第２面は、前記第１面の光軸と直交する面である、請求項１記載の光レセプタクル。
【請求項３】
樹脂製一体成形物である、請求項１または２に記載の光レセプタクル。
【請求項４】
請求項１から３のいずれか一項に記載の光レセプタクルと、発光素子または受光素子を有する光電変換装置と、を有することを特徴とする光モジュール。
【発明の詳細な説明】
【技術分野】
【０００１】
本発明は、光レセプタクルおよび光モジュールに関する。
【背景技術】
【０００２】
光ファイバを用いた光通信に、面発光レーザ等の発光素子と光レセプタクルとを備えた光モジュールが用いられている。前記光レセプタクルは、光を進行させるレンズ部と、光を反射する反射面と、前記光ファイバおよび光ファイバコネクタを挿入する取付部とを有しており、前記発光素子と前記光ファイバとの間に配置される（特許文献１）。
【０００３】
前記光モジュールを使用する際、前記光レセプタクルは、前記発光素子を有する基板に配置され、前記取付部に前記光ファイバおよび前記光ファイバコネクタが挿入される。前記発光素子から、通信情報を含む光が出射されると、前記光レセプタクルは、前記レンズ部を介して、光を内部に進行させ、前記反射面に光が到達すると、その光を前記取付部の方向に反射させ、前記取付部に取付けられた前記光ファイバの端部が、反射した光を受光する。
【０００４】
前記光レセプタクルにより、前述の光の進行と反射とを、より精度良く行うには、前記光電変換装置に前記光レセプタクルを配置する際の位置合わせが重要となる。
【先行技術文献】
【特許文献】
【０００５】
【特許文献１】特開２０１３−１３７５０７号公報
【発明の概要】
【発明が解決しようとする課題】
【０００６】
そこで、本発明は、光学素子基板への配置において、容易な位置合わせが可能である光レセプタクルの提供を目的とする。
【課題を解決するための手段】
【０００７】
前記目的を達成するために、本発明の光レセプタクルは、
発光素子または受光素子を有する光電変換装置と、光伝送体の端面とを光学的に結合するための光レセプタクルであって、
前記光レセプタクルの本体は、第１面、第２面、第３面、および反射面を有し、
前記第１面は、
第１光学領域と、
前記光電変換装置に対する光レセプタクルの配置位置を決めるマーク領域と、を含み、
前記第２面は、
前記第１面に対向し、前記マーク領域が視認可能な第２光学領域を含み、
前記第３面は、
第３光学領域を含み、
前記反射面は、
入射した光を反射させる反射領域を含み；
前記光電変換装置が前記発光素子を有する場合、
前記第１面の前記第１光学領域は、前記発光素子から出射された送信光を、前記光レセプタクルの本体の内部に入射させる領域であり、
前記反射面の前記反射領域は、前記第１面で入射した前記送信光を、前記第３面に向けて反射させる領域であり、
前記第３面の前記第３光学領域は、前記反射面で反射して、前記光レセプタクルの本体の内部を通った前記送信光を、前記光伝送体に向けて出射させる領域であり；
前記光電変換装置が前記受光素子を有する場合、
前記第３面の前記第３光学領域は、前記光伝送体から出射された前記受信光を、前記光レセプタクルの本体の内部に入射させる領域であり、
前記反射面の前記反射領域は、前記第３面で入射した前記受信光を、前記第１面に向けて反射させる領域であり、
前記第１面の前記第１光学領域は、前記反射面で反射して、前記光レセプタクルの本体の内部を通った受信光を、前記受光素子に向けて出射させる領域である、
ことを特徴とする。
【０００８】
本発明の光モジュールは、前記本発明の光レセプタクルと、光電変換装置と、を有することを特徴とする。
【発明の効果】
【０００９】
本発明の光レセプタクルによれば、前記光電変換装置への配置において、容易な位置合わせが可能である。
【図面の簡単な説明】
【００１０】
【図１】図１は、実施形態１の光レセプタクルの一例を示す概略図であり、（Ａ）は、上面図であり、（Ｂ）は、下面図である。
【図２】図２は、実施形態１の光レセプタクルの一例を示す概略図であり、（Ａ）は、図１（Ａ）のＩ−Ｉ方向からみた断面図であり、（Ｂ）は、前記（Ａ）の拡大図である。
【図３】図３は、実施形態１の光レセプタクルの一例を示す概略図であり、（Ａ）は、図１（Ｂ）のII−II方向からみた断面図であり、（Ｂ）は、前記（Ａ）の拡大図である。
【発明を実施するための形態】
【００１１】
本発明の光レセプタクルにおいて、例えば、前記第２面は、前記第１面の光軸と直交する面である。
【００１２】
本発明の光レセプタクルは、例えば、樹脂製一体成形物である。
【００１３】
本発明の光レセプタクルおよび光モジュールは、前記第１光学領域と前記マーク領域とを含む前記第１面に対して、対向する前記第２面を有し、且つ、前記第２面が、前記マーク領域が視認可能な第２光学領域を含むことが特徴であって、その他の構造および条件は、特に制限されない。
【００１４】
以下、本発明の光レセプタクルおよび光モジュールについて、図面を用いて、例をあげて説明する。本発明の光レセプタクルおよび光モジュールは、下記の実施形態によって何ら限定および制限されない。
【００１５】
（実施形態１）
本実施形態の光レセプタクルは、使用時において、前記光電変換装置と前記光伝送体との間に配置され、前記光モジュールとして使用される。前記光モジュールにおいては、前記光レセプタクルによって、前記光電変換装置と前記光伝送体とが、光学的に結合される。前記光モジュールは、例えば、光通信に使用できる。
【００１６】
本発明において、前記光レセプタクルを介した、前記光電変換装置と前記光伝送体との間において、光の進む方向は、特に制限されない。すなわち、前記光電変換装置から出射された光が、前記光レセプタクルを介して、前記光伝送体に入射されてもよいし、前記光伝送体から出射された光が、前記光レセプタクルを介して、前記光電変換装置に入射されてもよい。前者の場合、前記光電変換装置から出射された光は、例えば、通信情報を含み、送信光ともいい、具体的には、前記発光素子から出射された前記送信光は、前記光レセプタクルを介して反射し、前記光伝送体に入射する。後者の場合、前記光伝送体から出射された光は、例えば、通信情報を含み、受信光ともいい、具体的には、前記光伝送体から出射された受信光は、前記光レセプタクルを介して反射し、前記光電変換装置に入射する。
【００１７】
前記光電変換装置は、例えば、光電変換素子が基板に実装された装置である。前記光電変換素子は、例えば、発光素子または受光素子があげられる。前記発光素子は、特に制限されず、例えば、レーザがあげられ、具体的には、ＶＣＳＥＬ（垂直共振器面発光レーザ：Vertical  Cavity  Surface  Emitting  Laser）等の面発光レーザがあげられる。前記受光素子は、特に制限されず、例えば、ＰＤ（フォトダイオード）等があげられる。前記基板は、特に制限されず、例えば、ガラスコンポジット基板、ガラスエポキシ基板、およびフレキブシル基板等があげられる。
【００１８】
前記光電変換装置が前記発光素子を有する場合、本発明の光レセプタクルは、前記発光素子から出射された送信光を、前記第１面において、前記光レセプタクルの本体の内部に入射させ；前記反射面において、前記第１面で入射した前記送信光を、前記第３面に向けて反射させ；前記反射面で反射して、前記光レセプタクルの本体の内部を通った前記送信光を、前記第３面において、前記光伝送体に向けて出射させる。また、前記光電変換装置が前記受光素子を有する場合、本発明の光レセプタクルは、前記光伝送体から出射された前記受信光を、前記第３面において、前記光レセプタクルの本体の内部に入射させ；前記第３面で入射した前記受信光を、前記反射面は、前記第１面に向けて反射させ；前記反射面で反射して、前記光レセプタクルの本体の内部を通った受信光を、前記第１面において、前記受光素子に向けて出射させる。
【００１９】
前記光電変換装置への前記光レセプタクルの固定手段は、特に制限されず、接着剤（例えば、熱硬化性樹脂または紫外線硬化性樹脂等）等を用いた公知の手段が採用できる。
【００２０】
本発明の光レセプタクルは、使用時において、前記光伝送体の端面に、光学的に結合（連結）させる。前記光伝送体は、特に制限されず、例えば、光ファイバ、光導波路等があげられる。前記光ファイバの種類は、特に制限されず、例えば、シングルモード光ファイバ、マルチモード光ファイバ等があげられる。前記光レセプタクルに連結される前記光伝送体の数は、特に制限されず、例えば、単数（１つ）でもよく、複数（２つ以上）でもよい。前記光伝送体が複数の場合、前記複数の光伝送体は、例えば、それぞれの端部が、前記光レセプタクルに対して、１列となるように配列されてもよいし、２列以上に配列されてもよい。各光伝送体の間隔は、例えば、一定間隔でもよいし、任意の間隔でもよい。前記光レセプタクルに連結される前記光電変換素子と前記光伝送体の数は、特に制限されず、例えば、同じ列数であることが好ましい。具体例として、例えば、前記光伝送体が１列の場合、前記光電変換素子も１列であり、前記光伝送体が２列の場合、前記光電変換素子も２列であることが好ましい。
【００２１】
本実施形態の光レセプタクルを、図１〜３に示す。本実施形態の光レセプタクルは、以下、便宜上、光学的に結合させる前記光電変換装置が、前記発光素子を有する例として説明する。なお、本発明において、前記光電変換装置は、前記発光素子に変えて、前記受光素子を有してもよく、本発明において、前記光電変換素子の種類は、特に制限されない。
【００２２】
図１〜３は、本実施形態の光レセプタクルの概略図であり、図１（Ａ）は、上面図、図１（Ｂ）は、下面図、図２（Ａ）は、図１（Ａ）をＩ−Ｉ方向からみた断面図であり、図２（Ｂ）は、図２（Ａ）の円で囲んだ領域Ｘの拡大図であり、図３（Ａ）は、図１（Ｂ）をII−II方向からみた断面図であり、図３（Ｂ）は、図３（Ａ）の円で囲んだ領域Ｙの拡大図である。
【００２３】
図１〜３に示すように、光レセプタクル１は、本体１０を有し、本体１０は、第１面１１、第２面１２、第３面１６、および反射面１３１を有する。第１面１１は、前記発光素子から出射された送信光を、光レセプタクル１の本体１０の内部に入射させる第１光学領域１１１と、前記光電変換装置に対する光レセプタクル１の配置位置を決めるマーク領域１１２とを含む。第２面１２は、第１面１１に対向し、マーク領域１１２が視認可能な第２光学領域を含む。反射面１３１は、第１面１１で入射した前記送信光を、第３面１６に向けて反射させる反射領域を含む。第３面１６は、反射面１３１で反射して、光レセプタクル１の本体１０の内部を通った前記送信光を、前記光伝送体に向けて出射させる第３光学領域を含む。
【００２４】
便宜上、本体１０は、図１（Ａ）の上面図に表されている面を、上面１０ａ、図１（Ｂ）の下面図に表されている面を、下面１０ｂ、図１（Ａ）および（Ｂ）において、右側の端面を、前記光伝送体側の前端面１０ｃ、左側の端面を、後端面１０ｄ、前端面１０ｃに向かって左側の側面を、左側面１０ｅ、右側の側面を、右側面１０ｆともいう。なお、本実施形態において、前端面１０ｃから後端面１０ｄの方向を「前後方向」、その長さを「前後方向の長さ」、左側面１０ｅから右側面１０ｆの方向を「幅方向」、その長さを「左右方向の幅」、上面１０ａから下面１０ｂの方向を「上下方向」、その長さを「上下方向の厚み」という。
【００２５】
（１）第１面１１
第１面１１は、図１（Ｂ）に示すように、第１光学領域１１１およびマーク領域１１２を有している。第１光学領域１１１は、前記発光素子から出射された送信光を、光レセプタクル１の本体１０の内部に入射させる領域である。光レセプタクル１は、例えば、使用時において、第１光学領域１１１を有する第１面１１が、前記発光素子を有する前記光電変換装置に対して対向するように、配置される。マーク領域１１２は、前記光電変換装置に対する光レセプタクル１の配置位置を決める領域である。
【００２６】
実施形態１において、第１面１１は、図１（Ｂ）および図３に示すように、下面１０ｂ側に形成されている。具体的に、下面１０ｂは、図３（Ａ）および（Ｂ）の断面図に示すように、上方向に凹む凹部１５を有し、凹部１５の内部上面の一部が、第１面１１であり、第１面１１が、第１光学領域１１１およびマーク領域１１２を含む。
【００２７】
第１面１１において、第１光学領域１１１は、第１面１１において、前記送信光が通過する領域を意味する。第１光学領域１１１の形状は、特に制限されず、例えば、フラットな平面形状でもよいし、曲面等の非平面形状でもよい。また、前記非平面形状は、例えば、凸部の表面形状でもよいし、凹部の表面形状でもよい。第１光学領域１１１が、前記非平面形状を有する場合、その形状の数は、例えば、１個でもよく、２個以上でもよく、後者の場合、例えば、４個、８個、１２個等が例示できる。実施形態１において、第１面１１は、図３（Ａ）および（Ｂ）に示すように、下方向に突出する凸部を有し、前記凸部が、第１光学領域１１１である。本実施形態１において、第１面１１における第１光学領域１１１は、下面１０ｂ側から見た平面形状が円形であり、球面または非球面のレンズである。
【００２８】
第１面１１の第１光学領域１１１において、光軸は、例えば、前記光電変換装置に光レセプタクル１を配置した際、前記光電変換装置の発光素子から出射される光の中心軸（中心光線）と一致することが好ましい。また、第１面１１の第１光学領域１１１における光軸は、例えば、第１面１１における第１光学領域１１１以外の領域に対して、垂直であってもよい。
【００２９】
第１面１１において、マーク領域１１２は、後述するように、前記光電変換装置に対して光レセプタクル１を配置する際、第１面１１と前記光電変換素子との位置合わせをするためのマークである。
【００３０】
マーク領域１１２の大きさおよび形状は、特に制限されず、例えば、光レセプタクル１の外部からマーク領域１１２を検出する検出手段に応じて、検出可能な大きさであればよい。前記検出手段としては、例えば、ＣＣＤカメラ等があげられる。マーク領域１１２の形状は、例えば、円形、角形等があげられる。マーク領域１１２が円形の場合、その直径は、例えば、１００〜３００μｍである。マーク領域１１２が角形の場合、一辺の長さは、例えば、１００〜３００μｍである。マーク領域１１２の数は、特に制限されず、１つでもよいし、２つ以上でもよい。
【００３１】
実施形態１において、第１面１１は、図１（Ｂ）に示すように、２つのマーク領域１１２を有し、２つのマーク領域１１２は、それぞれ、光レセプタクル１の幅方向において、第１光学領域１１１よりも、側面側（左側面１０ｅ側および右側面１０ｆ側）寄りであって、且つ、後端面１０ｄ側に設けられている。第１面１１は、図２(Ａ)および（Ｂ）の断面図に示すように、下方向に突出する２つの凸部を有し、前記２つの凸部が、それぞれマーク領域１１２である。
【００３２】
（２）反射面１３１
反射面１３１は、第１面１１で入射した前記送信光を、第３面１６に向けて反射させる反射領域を有している。実施形態１において、反射面１３１は、図１（Ａ）に示すように、上面１０ａ側に形成されている。具体的に、上面１０aは、図１（Ａ）に示すように、凹部１３を有する。凹部１３の内部面のうち、前端面１０ｃ側の面１３１は、図３（Ａ）および（Ｂ）の断面図に示すように、第１面１１からの入射光の光軸に対して傾斜角を有する反射面１３１である。反射面１３１は、例えば、平面である。反射面１３１は、例えば、傾斜を有することによって、第１面１１で入射した前記送信光を、第３面１６に向けて反射させることができる。
【００３３】
反射面１３１の傾斜角は、特に制限されず、例えば、臨界角より大きな角度である。具体例として、図３（Ｂ）に示すように、下面１０ｂからの入射光の光軸に対する傾斜角Ｑは、例えば、４５°±５°である。反射面１３１の傾斜角は、例えば、第１面１１により規定することもできる。反射面１３１の傾斜角は、例えば、図３（Ｂ）に示すように、第１面１１における第１光学領域１１１以外の領域に対する傾斜角Ｒとして表すことができ、傾斜角Ｒは、例えば、４５°±５°である。
【００３４】
（３）第２面１２
第２面１２は、第１面１１に対向し、マーク領域１１２が視認可能な第２光学領域を有する。実施形態１において、第２面１２は、図１（Ａ）に示すように、上面１０ａ側に形成されている。具体的に、図１（Ａ）、図２（Ａ）および（Ｂ）に示すように、上面１０ａは、凹部１３を有し、凹部１３の内部面において、反射面１３１と、その対向面１３２と、反射面１３１と対向面１３２との間の底面１３３を有する。そして、底面１３３の左側面１０ｅ側および右側面１０ｆ側には、第１面１１に対向し、第１面１１のマーク領域１１２に対応する部位からマーク領域１１２が視認可能な第２面１２が設けられている。
【００３５】
光レセプタクル１を、前述のように、前記光電変換装置に配置する際、前記光電変換装置の前記発光素子と光レセプタクル１の第１面１１との位置合わせが重要になる。実施形態１の光レセプタクル１によれば、２つの第２面１２は、それぞれ、第１面１１のマーク領域１１２と対応する箇所に設けられている。このため、光レセプタクル１を上面１０ａ側から視認すれば、第２面１２を介して、第１面１１の位置を示唆するマーク領域１１２を検出できる。したがって、光レセプタクル１を、容易に、前記光電変換装置に配置することが可能となる。
【００３６】
光レセプタクル１において、第２面１２は、前述のように、上面１０ａの凹部１３内に設けられている。このため、例えば、それ以外の領域、例えば、凹部１３よりも左右の外側等に第２面１２を設けることによる、前記光レセプタクル１の大型化や肥厚化等を、回避できる。
【００３７】
光レセプタクル１は、凹部１３の底面１３３の左側面１０ｅおよび右側面１０ｆ側に、それぞれ第２面１２を有しており、図３（Ａ）および（Ｂ）に示すように、第２面１２は、凹部１３において、傾斜面１３１と、その対向面１３２とに接している。この形態によれば、図１（Ａ）に示すように、凹部１３において、第２面１２の方が、底面１３３よりも、前後方向の長さが長くなっている。例えば、前記光レセプタクルにおいて、仮に、前記底面を前記第２面とする場合、前記底面の前後方向の長さを、前記マーク領域を検出できるだけ長さに設定する必要がある。しかし、前記底面は、他の領域と比べて薄肉であるため、前記光レセプタクルのサイズが小さい場合、前後方向の長さを長くすることにより、成形のし易さ、強度等に影響を与える可能性がある。そこで、本実施形態１の光レセプタクル１は、前述のように、凹部１３内の底面１３３の左側面１０ｅおよび右側面１０ｆ側に、第１面１１に対向し、マーク領域１１２が視認可能な第２面１２を設けることにより、そのような影響を十分に回避できる。
【００３８】
凹部１３において、底面１３３の前後方向の長さ（Ａ）と第２面１２の前後方向の長さ（Ｂ）との比（Ａ：Ｂ）は、例えば、１：１．２５〜１．７５、１：２〜２．５である。第２面１２の前後方向の長さ（Ｂ）は、例えば、第１面１１のマーク領域１１２の大きさに応じて適宜決定でき、例えば、２００〜４００μｍ、４００〜１０００μｍである。
【００３９】
凹部１３において、底面１３３から第２面１２までの上下方向の長さ（第２面１２の厚み）は、例えば、１００〜１５０μｍ、２００〜３００μｍである。第２面１２の厚みは、例えば、相対的に薄くすることで、第２面１２における光の散乱および屈折を、さらに抑制し、それによって、マーク領域１１２の検出をより容易にできる。凹部１３における底面１３３の厚みは、例えば、２００〜３００μｍ、３００〜４００μｍである。
【００４０】
（４）第３面１６
第３面１６は、第１面１１から入射し、反射面１３１により反射された前記送信光を、前記光伝送体の端面に向けて出射させる第３光学領域を有する。第３面１６の前記第３光学領域とは、第３面１６において、前記送信光が通過する領域を意味する。実施形態１において、第３面１６は、例えば、図３（Ａ）に示すように、光レセプタクル１の前端面１０ｃ側から内部方向に向かって設けられた空隙１４の、後端面１０ｄ側の面である。
【００４１】
第３面１６の形状は、特に制限されず、例えば、フラットな平面形状でもよいし、曲面等の非平面形状でもよい。また、前記非平面形状は、例えば、凸部の表面形状でもよいし、凹部の表面形状でもよい。前記第３光学領域が、前記非平面形状を有する場合、その形状の数は、例えば、１個でもよく、２個以上でもよく、後者の場合、例えば、４個、８個、１２個等が例示できる。実施形態１において、第３面１６は、図３（Ａ）に示すように、前端面１０ｃ側に突出する凸部を有し、前記凸部が、前記第３光学領域である。実施形態１において、第３面１６における前記第３光学領域は、前端面１０ｃ側から見た平面形状が円形であり、球面または非球面のレンズである。
【００４２】
第３面１６の前記第３光学領域が、例えば、前記非平面形状の場合、その形状の数は、例えば、第１面１１の第１光学領域１１１と同数であることが好ましい。
【００４３】
第３面１６において、光軸は、例えば、前記光伝送体に光レセプタクル１を連結した際、前記光伝送体の端面の中心軸と一致することが好ましい。また、第３面１６における光軸は、例えば、第３面１６における前記第３光学領域以外の領域に対して、垂直であってもよい。
【００４４】
（５）その他
光レセプタクル１は、使用時において、前述のように、前記光伝送体と光学的に結合する。具体的には、光レセプタクル１は、例えば、取付部１４を有し、取付部１４に前記光伝送体が取付けられる。取付部１４は、前端面１０ｃ側に設けられており、後端面１０方向に向かう凹部（空隙）である。光ファイバ等の前記光伝送体は、前記凹部である取付部１４に、挿入される。光レセプタクル１に前記光伝送体が挿入されると、光レセプタクル１の内部方向に位置する前記光伝送体の端部が、第３面１６から出射された光を受光する。
【００４５】
光レセプタクル１は、例えば、樹脂製である。光レセプタクル１は、例えば、樹脂成形体であり、一体成形体であることが好ましい。成形方法は、特に制限されず、例えば、射出成形法等があげられる。前記樹脂としては、特に制限されず、例えば、光通信で使用する波長の光に透過性を示す透過性樹脂があげられ、具体例としては、ポリエーテルイミド、環状ポリオレフィン等の透明樹脂等があげられる。
【００４６】
つぎに、前記光モジュールにおける光レセプタクル１を介した光の動きについて、説明する。光レセプタクル１は、前述のように、使用時において、第１面１１が対向するように、前記光電変換装置上に配置され、取付部１４に、前記光伝送体が取付けられ、前記光モジュールとして使用される。そして、前記光電変換装置に発光素子が実装されている場合、まず、前記光電変換装置の発光素子から、通信情報を含んだ光が出射されると、その光は、第１面１１の第１光学領域１１１から光レセプタクル１の内部に進行する。そして、進行した光が、第１面１１の上方に位置する凹部１３の反射面１３１に到達すると、前記到達した光は、反射面１３１の傾斜角に応じて反射する。ここで、光レセプタクル１の内部に入射した光を、第３面１６から出射する。そして、前端面１０ｃ側に連結された前記光伝送体に到達させるため、反射面１３１の傾斜角は、第３面１６に反射するように設定されている。そして、反射した光は、第３面１６から出射し、連結された前記光伝送体に到達し、入射される。
【００４７】
（実施形態２）
前記実施形態１では、光学的に結合させる前記光電変換装置が、前記発光素子を有する例をあげて説明したが、本発明は、これには制限されず、前記光電変換装置は、前記発光素子に変えて、前記受光素子を有してもよい。前記光電変換装置が前記受光素子を有する場合、特に示さない限り、前記第１実施形態と同様である。
【００４８】
前記光電変換装置が前記受光素子を有する場合、第３面１６の前記第３光学領域は、前記光伝送体から出射された前記受信光を、光レセプタクル１の本体１０の内部に入射させる領域である。また、反射面１３１の前記反射領域は、第３面１６で入射した前記受信光を、第１面１１に向けて反射させる領域である。そして、第１面１１の第１光学領域１１１は、反射面１３１で反射して、光レセプタクル１の本体１０の内部を通った前記受信光を、前記受光素子に向けて出射させる領域である。第２面１２は、前記実施形態１と同様である。
【００４９】
つぎに、前記光モジュールにおける光レセプタクル１を介した光の動きについて、説明する。前記光電変換装置に受光素子が実装されている場合、まず、前端面１０ｃ側に連結された前記光伝送体から、通信情報を含んだ光が出射されると、その光は、第３面の第３光学領域から光レセプタクル１の内部に進行する。そして、進行した光が、第３面の後方に位置する反射面１３１に到達すると、前記到達した光は、反射面１３１の傾斜角に応じて反射する。ここで、光レセプタクル１の内部に入射した光を、第１面１１から出射する。そして、前記光電変換装置に実装された受光素子に到達させるため、反射面１３１の傾斜角は、第１面１１に反射するように設定されている。そして、反射した光は、第１面１１から出射し前記受光素子に到達し、入射される。
【００５０】
以上、実施形態および実施例を参照して、本発明を説明したが、本発明は、上記発明のスコープ内で当業者が理解し得る様々な変更をすることができる。また、本明細書で引用する特許文献および学術文献等の文献に記載の内容は、全て引用により本明細書に取り込むものとする。
【産業上の利用可能性】
【００５１】
以上のように、本発明の光レセプタクルによれば、前記光電変換装置への配置において、容易な位置合わせが可能である。
【符号の説明】
【００５２】
１      光レセプタクル
１０    本体
１１    第１面
１１１  第１光学領域
１１２  マーク領域
１２    第２面
１３    凹部
１３１  傾斜面
１３２  対向面
１４    取付部
１６    第３面
【図１】
2019060979.tif 000003
【図２】
2019060979.tif 000004
【図３】
2019060979.tif 000005